(57)【特許請求の範囲】
【請求項１】
シート状のパネルボード基材と、前記パネルボード基材を立たせた状態に保つための組立て用シート基材と、からなる展示用パネルボードであって、
前記パネルボード基材は、該パネルボード基材を上下方向に折り曲げ可能に形成された横方向の切込み線を有し、
前記組立て用シート基材は、下側から上側方向に対して順番に、第１のパネル接着用部と、底板用部と、支持用部と、第２のパネル接着用部と、が切込み線により折り曲げ可能に連接され、
前記支持用部は、該支持用部を上下方向に対して折り曲げ可能に形成された切込み線と、前記支持用部が該切込み線から折れ曲がらない状態に保たせるための折れ曲がり防止部と、を有し、
前記折れ曲がり防止部として、前記支持用部を上下方向に折り曲げ可能に形成された切込み線を跨る部分領域の外周辺の内、その一辺部分が該切込み線と交差する位置にあり、更に前記一辺部分に折り曲げ可能に形成された切込み線が設けられ、また、前記一辺部分を除く外周部分に貫通切り込みが形成されており、
前記組立て用シート基材は、前記パネルボード基材の一方の面に対して、前記第１のパネル接着用部及び第２のパネル接着用部で接着されていることを特徴とする展示用パネルボード。
【請求項２】
前記シート状のパネルボード基材が、上下方向を逆さまにした台形形状を有していることを特徴とする請求項１に記載の展示用パネルボード。
【請求項３】
前記シート状のパネルボード基材は、少なくとも左右方向の一端から所定間隔をあけた位置に、該パネルボード基材の一端部分を左右方向に折り曲げ可能に形成された上下方向の切込み線を有し、前記切込み線から該パネルボード基材の一端部分を折り曲げた状態を維持するための留め具が設けられていることを特徴とする請求項１に記載の展示用パネルボード。
【請求項４】
シート状のパネルボード基材と、前記パネルボード基材を立たせた状態に保つための組立て用シート基材と、からなる展示用パネルボードであって、
前記パネルボード基材は、該パネルボード基材を上下方向に折り曲げ可能に形成された横方向の切込み線と、少なくとも左右方向の一端から所定間隔をあけた位置に、該パネルボード基材の一端部分を左右方向に折り曲げ可能に形成された上下方向の切込み線と、を有し、前記上下方向の切込み線から該パネルボード基材の一端部分を折り曲げた状態を維持するための留め具が設けられており、
前記組立て用シート基材は、下側から上側方向に対して順番に、第１のパネル接着用部と、底板用部と、支持用部と、第２のパネル接着用部と、が切込み線により折り曲げ可能に連接され、
前記支持用部は、該支持用部を上下方向に対して折り曲げ可能に形成された切込み線と、前記支持用部が該切込み線から折れ曲がらない状態に保たせるための折れ曲がり防止部と、を有し、
前記組立て用シート基材は、前記パネルボード基材の一方の面に対して、前記第１のパネル接着用部及び第２のパネル接着用部で接着されていることを特徴とする展示用パネルボード。
【請求項５】
前記支持用部は、前記第２のパネル接着用部の横幅寸法よりも横方向に広く形成されたはみ出し部分を有し、前記支持用部において、前記はみ出し部分内、又は前記はみ出し部分と該はみ出し部分以外の部分との境に、前記支持用部を折り曲げ可能に形成された切込み線が設けられていることを特徴とする請求項４に記載の展示用パネルボード。
【請求項６】
前記はみ出し部分が、前記支持用部の左右方向の両側に設けられていることを特徴とする請求項５に記載の展示用パネルボード。
【請求項７】
前記シート状のパネルボード基材は、該パネルボード基材の上下方向に対して略半分の位置において、該パネルボード基材を上下方向に折り曲げ可能に形成された切込み線を有していることを特徴とする請求項１〜請求項６のいずれか１項に記載の展示用パネルボード。
【発明の詳細な説明】
【技術分野】
【０００１】
本発明は、イベントの展示会、ショールームの展示、作品発表会、等の各種の展示が行われる場所において、写真、画像、図、文字、などを表示させる際に用いられる展示用パネルボードであって、特に運搬、搬入、組み立て、搬出などが容易な展示用パネルボードに関する。
【背景技術】
【０００２】
従来、種々の会場において、イベントの展示会、ショールームの展示、作品発表会、等の各種展示が行われているが、それらの展示会においては、種々の写真、画像、図、文字、などを表示するための展示用パネルボードが立てられて、その会場に入場する入場者に見やすい状態で写真や図面などを表示し、また販売促進などの際には、入場者の関心を引き付けるために派手な内容の写真や絵を表示するなどして、様々な用途に展示用パネルボードが利用されている。（例えば、特許文献１、２、参照）
【０００３】
また、従来から、各企業が販売促進などを行うためにビジネスショー等がイベント用の大会場を借りて開催されているが、参加企業毎に区画され割り当てられたブースに参加する各企業が、自社製品を展示している。
この場合でも、各々の参加企業は、他社よりもできるだけ多くの入場者に自社のブースを来て見てもらうように様々な工夫をして競い合っており、展示用パネルボードについても、できるだけ大きなサイズのボードを用意することで、入場者の注目を集めるように工夫するなどしている。
【０００４】
しかしながら、できるだけ大きなサイズの展示用パネルボードを使用する場合には、展示会が開催する前の準備として、展示用パネルボードの運搬、搬入、組み立て、などの作業に時間や労力が係り大変であり、更に展示会が終わった後の搬出作業などにも時間や労力が係るなどの問題があった。
特に、大きなサイズの展示用パネルボードを利用することで、種々のインパクトのある大きな写真や絵などを表示できるという利点があるものの、大きなサイズの展示用パネルボードを搬送するためには、それだけ大きなトラックを用意しなければならないために搬送コストもかかり、また、展示用パネルボードの設置に際しても時間や手間が係るなど準備作業が大変であるなどの問題がある。
【先行技術文献】
【特許文献】
【０００５】
【特許文献１】特開２００４−３４７６７７号公報
【特許文献２】特開２００４−４９３３３号公報
【発明の概要】
【発明が解決しようとする課題】
【０００６】
そこで、本発明は、大きなサイズの展示用パネルボードを使用する場合でも、展示用パネルボードの運搬、搬入、組み立て、搬出作業などを簡単容易に行うことができ、短時間で効率的に準備作業や後片付け作業を行えるようにした展示用パネルボードを提供する。
【課題を解決するための手段】
【０００７】
本発明の展示用パネルボードは、シート状のパネルボード基材と、前記パネルボード基材を立たせた状態に保つための組立て用シート基材と、からなる展示用パネルボードであって、前記パネルボード基材は、該パネルボード基材を上下方向に折り曲げ可能に形成された横方向の切込み線を有し、前記組立て用シート基材は、下側から上側方向に対して順番に、第１のパネル接着用部と、底板用部と、支持用部と、第２のパネル接着用部と、が切込み線により折り曲げ可能に連接され、前記支持用部は、該支持用部を上下方向に対して折り曲げ可能に形成された切込み線と、前記支持用部が該切込み線から折れ曲がらない状態に保たせるための折れ曲がり防止部と、を有し、前記折れ曲がり防止部として、前記支持用部を上下方向に折り曲げ可能に形成された切込み線を跨る部分領域の外周辺の内、その一辺部分が該切込み線と交差する位置にあり、更に前記一辺部分に折り曲げ可能に形成された切込み線が設けられ、また、前記一辺部分を除く外周部分に貫通切り込みが形成されており、前記組立て用シート基材は、前記パネルボード基材の一方の面に対して、前記第１のパネル接着用部及び第２のパネル接着用部で接着されていることを特徴とする。
【０００８】
また、本発明の展示用パネルボードは、前記シート状のパネルボード基材が、上下方向を逆さまにした台形形状を有していることを特徴とする。
【０００９】
更に、本発明の展示用パネルボードは、前記シート状のパネルボード基材は、少なくとも左右方向の一端から所定間隔をあけた位置に、該パネルボード基材の一端部分を左右方向に折り曲げ可能に形成された上下方向の切込み線を有し、前記切込み線から該パネルボード基材の一端部分を折り曲げた状態を維持するための留め具が設けられていることを特徴とする。
【００１０】
また、本発明の展示用パネルボードは、シート状のパネルボード基材と、前記パネルボード基材を立たせた状態に保つための組立て用シート基材と、からなる展示用パネルボードであって、前記パネルボード基材は、該パネルボード基材を上下方向に折り曲げ可能に形成された横方向の切込み線と、少なくとも左右方向の一端から所定間隔をあけた位置に、該パネルボード基材の一端部分を左右方向に折り曲げ可能に形成された上下方向の切込み線と、を有し、前記上下方向の切込み線から該パネルボード基材の一端部分を折り曲げた状態を維持するための留め具が設けられており、前記組立て用シート基材は、下側から上側方向に対して順番に、第１のパネル接着用部と、底板用部と、支持用部と、第２のパネル接着用部と、が切込み線により折り曲げ可能に連接され、前記支持用部は、該支持用部を上下方向に対して折り曲げ可能に形成された切込み線と、前記支持用部が該切込み線から折れ曲がらない状態に保たせるための折れ曲がり防止部と、を有し、前記組立て用シート基材は、前記パネルボード基材の一方の面に対して、前記第１のパネル接着用部及び第２のパネル接着用部で接着されていることを特徴とする。
【００１１】
更に、本発明の展示用パネルボードは、前記支持用部は、前記第２のパネル接着用部の横幅寸法よりも横方向に広く形成されたはみ出し部分を有し、前記支持用部において、前記はみ出し部分内、又は前記はみ出し部分と該はみ出し部分以外の部分との境に、前記支持用部を折り曲げ可能に形成された切込み線が設けられていることを特徴とする。
【００１２】
また、本発明の展示用パネルボードは、前記はみ出し部分が、前記支持用部の左右方向の両側に設けられていることを特徴とする。
【００１３】
更に、本発明の展示用パネルボードは、前記シート状のパネルボード基材は、該パネルボード基材の上下方向に対して略半分の位置において、該パネルボード基材を上下方向に折り曲げ可能に形成された切込み線を有していることを特徴とする。
【発明の効果】
【００１４】
したがって、本発明の展示用パネルボードは、パネルボード基材を上下方向に折り曲げ可能に形成された横方向の切込み線を有しているので、パネルボード基材を折り畳んだ状態で運搬、搬入、搬出作業など行うことができ、更に、支持用部に、該支持用部を上下方向に折り曲げ可能に形成された切込み線と、前記支持用部が該切込み線から折れ曲がらない状態に保たせるための折れ曲がり防止部とを有しているので、簡単容易に組み立てることができ、短時間で効率的に準備作業や後片付け作業を行えるという効果がある。
【００１５】
また、本発明の展示用パネルボードは、支持用部にはみ出し部分を有し、そのはみ出し部分を、折り曲げ可能に形成された切込み線から折り曲げるだけで、支持用部によりパネルボード基材を支持できるので、手間がかからず簡単にパネルボード基材を立たせることができるという効果がある。
【００１６】
更に、本発明の展示用パネルボードは、支持用部の部分領域を折り曲げるだけで、手間がかからず簡単にパネルボード基材を立たせることができるという効果がある。
【００１７】
また、本発明の展示用パネルボードは、はみ出し部分が、支持用部の左右方向の両側に設けられていることで、両方のはみ出し部分を折り曲げることでしっかりとした状態で簡単にパネルボード基材を立たせることができるという効果がある。
【００１８】
更に、本発明の展示用パネルボードは、シート状のパネルボード基材が、上下方向を逆さまにした台形形状を有しているので、複数のシート状のパネルボード基材を横方向に並べることで、複数の展示用パネルボードにより内側に囲む状態を作り出すことができ、変化のある展示状態を作り出すことができるという効果がある。
【００１９】
また、本発明の展示用パネルボードは、前記シート状のパネルボード基材は、該パネルボード基材の上下方向に対して略半分の位置において、該パネルボード基材を上下方向に折り曲げ可能に形成された切込み線を有しているので、パネルボード基材を半分の大きさにして運搬ができかさばらないという効果がある。
【００２０】
更に、本発明の展示用パネルボードは、切込み線からパネルボード基材の一端部分を折り曲げた状態を維持するための留め具が設けられているので、折り曲げた部分を確実に留めた状態とすることができるという効果がある。
【図面の簡単な説明】
【００２１】
【図１】本発明の実施形態に係る展示用パネルボードを立てた状態にして、表側から見た場合を示す斜視図である。
【図２】図１のＡ−Ａ線断面図である。
【図３】本発明の実施形態に係る展示用パネルボードを立てた状態にして、裏側から見た場合を示す斜視図である。
【図４】本発明の実施形態に係る展示用パネルボードを裏側から見た場合を示す斜視図である。
【図５】本発明の実施形態に係る展示用パネルボードに係る組立て用シート基材の展開平面図である。
【図６】本発明の実施形態に係る展示用パネルボードに係る組立て用シート基材を組み立てた状態を示す斜視図である。
【図７】図６のＢ−Ｂ線断面図である。
【図８】図６のＣ−Ｃ線断面図である。
【図９】本発明の実施形態に係る展示用パネルボードを表側から見た場合を示す斜視図である。
【図１０】本発明の実施形態に係る展示用パネルボードを２つに折り畳んだ状態を示す斜視図である。
【図１１】図１０のＥ−Ｅ線断面図である。
【図１２】本発明の実施形態に係る展示用パネルボードを２つに折り畳んだ状態を図１０とは逆向き方向から見た状態を示す斜視図である。
【図１３】図９のＤ−Ｄ線断面図である。
【図１４】本発明の実施形態に係る展示用パネルボードにおいて、シート状のパネルボード基材の形状を、上下方向を逆さまにした台形形状とした場合を示す平面図である。
【図１５】本発明の実施形態に係る展示用パネルボードにおいて、シート状のパネルボード基材の形状を、円形とした場合を示す平面図である。
【図１６】本発明の実施形態に係る展示用パネルボードにおいて、組立て用シート基材の第１変形例として、支持用部の一方にはみ出し部分を形成した場合を示す展開平面図である。
【図１７】本発明の実施形態に係る展示用パネルボードにおいて、組立て用シート基材の第２変形例として、支持用部の内側に折れ曲がり防止部を設けた場合を示す展開平面図である。
【図１８】本発明の実施形態に係る展示用パネルボードにおいて、組立て用シート基材に図１７で示した第２変形例を用いた場合で、展示用パネルボードを立たせた状態の斜視図である。
【図１９】本発明の実施形態に係る展示用パネルボードにおいて、組立て用シート基材に図１７で示した第２変形例を用いた場合で、組立て用シート基材を折り畳んだ状態の斜視図である。
【発明を実施するための形態】
【００２２】
以下、本発明の実施形態に係る展示用パネルボードを図面に基づいて詳細に説明する。
本発明の実施形態に係る展示用パネルボード１は、図１乃至図４に示すように、シート状のパネルボード基材２と、前記パネルボード基材２を立たせた状態に保たせて支えるための組立て用シート基材３と、を有している。
尚、図１乃至図４には、展示用パネルボード１を組み立てて、立たせた状態が示されている。
パネルボード基材２は、該パネルボード基材２を上下方向に折り曲げ可能に形成された横方向の切込み線４を有しており、その横方向の切込み線４からパネルボード基材２を２つに折り畳んで小さな状態にして運搬できるようになっている。
尚、横方向の切込み線４が形成される位置は、パネルボード基材２を上下方向に対する略半分の位置に設けることが好ましいが、必要に応じてそれ以外の位置に設けてもよい。
【００２３】
また、折り曲げ可能に形成された横方向の切込み線４は、パネルボード基材２の基材に対してハーフカットなどの切り込みを形成することで折り曲げ可能とする。
尚、ハーフカット以外の方法であっても、パネルボード基材２の基材を折り畳めればどのような切り込みであってもよく、またパネルボード基材２の基材を完全に切り込んだ状態にして、その切り込み部分が分離しないようにテープを貼り付けるなどしてパネルボード基材２を折り畳めるような構成としてもよい。
尚、図１において、パネルボード基材２の中央部に点線で示されているが、その部分は、その裏面側に切込み線４が形成される位置を示している。
【００２４】
図４には、組立て用シート基材３を折り畳んだ状態にして、展示用パネルボード１だけを立てた場合で、裏側斜め方向から見た場合が示されているが、パネルボード基材２は、左右方向の両端から所定間隔をあけた位置に、該パネルボード基材の両端部分を左右方向に折り曲げ可能に形成された縦方向の切込み線５ａ，５ｂが設けられ、前記縦方向の切込み線５ａ，５ｂから該パネルボード基材２の両端部分を折り曲げることができるようになっている。
また、図４には、展示用パネルボード１を裏側から見た場合が示されているので、上下方向の切込み線５ａ，５ｂが見えにくいが、パネルボード基材２に点線で示されている位置に対応するパネルボード基材２の表側の部分に縦方向の切込み線５ａ，５ｂが形成されている。
この縦方向の切込み線５ａ，５ｂにより、パネルボード基材２の両端部分２ａ，２ｂを折り畳み可能に構成されている。
【００２５】
そして、この縦方向の切込み線５ａ，５ｂにより、パネルボード基材２の両端部分２ａ，２ｂを折り畳むことで、図３に示すように、パネルボード基材２を組み立てた際に、パネルボード基材２を折り曲げ可能に形成された横方向の切込み線４から折れ曲がらないようにしてある。
また、図１乃至図４に示すパネルボード基材２では、パネルボード基材２の両端部分２ａ，２ｂに折り曲げ部を設けたが、パネルボード基材２の一方側だけに縦方向の切込み線を形成させて、パネルボード基材２の一方部分を折り曲げられるように構成してもよい。
また、図１乃至図４に示したパネルボード基材２では、パネルボード基材２の両端部分２ａ，２ｂを上下方向に全て折り曲げるように構成したが、パネルボード基材２の両端部分の内、横方向の切込み線４を跨る部分を含む一部分だけを折り曲げ可能に構成してもよい。
【００２６】
また、パネルボード基材２には、図３に示すように、パネルボード基材２の両端部分２ａ，２ｂを折り曲げた状態のまま一時的に固定させるために留め具６ａ，６ｂが設けられている。
この留め具６ａ，６ｂは、折り曲げた状態のパネルボード基材２の両端部分２ａ，２ｂをそのままの状態で一時的に固定させることができ、必要に応じて固定された状態を元の状態に開放することができればどのような構成のものであってもよい。
この実施形態の説明では、留め具６ａ，６ｂとして、紐７ａ，７ｂで結びつけられる構成のものが示されている。
尚、図１３には、図９のＤ−Ｄ線断面図が示されているが、その図に示すように、留め具６ａ，６ｂとして、紐７ａ，７ｂで結びつけられる構成のものを用いることができる。
【００２７】
また、パネルボード基材２は様々な形状のものを用いることができる。
例えば、図１４に示す例では、シート状のパネルボード基材２０が、上下方向を逆さまにした台形形状を有している場合が示されている。
このように、シート状のパネルボード基材２０を、上下方向を逆さまにした台形形状とすることで、複数のシート状のパネルボード基材２０を横方向に並べる際に、それぞれの設置位置をパネルボード基材２０の表面において角度を付けてパネルボード基材２０を並べることで、所定の場所を囲い込む状態を作り出すことができ、様々な演出効果を生み出すことができるという効果がある。
また、図１５に示す例では、シート状のパネルボード基材２１が、円形を有している場合が示されている。
このように、シート状のパネルボード基材は、必要に応じて様々な形状とすることができる。
【００２８】
また、図１４及び図１５においても、シート状のパネルボード基材２０，２１には、そのパネルボード基材２０，２１を２つ折りするための折り曲げ可能に形成された横方向の切込み線４が形成されている。
更に、パネルボード基材２０，２１には、折り曲げた状態のパネルボード基材２０，２１を広げた後に、広げた状態を保たせるための留め具２３が設けられている。
図に示した留め具２３は、紐２５で結びつけて固定するものである。
尚、この留め具についても、パネルボード基材２０，２１を広げた状態に固定することが可能であれば、どのような構成のものを用いてもよい。
また、パネルボード基材に、パネルボード基材を折り曲げ可能に形成する横方向の切込み線４を平行に複数形成させて、パネルボード基材を３つ折や４つ折りできるようにしてもよく、またその場合には、折り畳まれたパネルボード基材を１枚のシート状に広げて一時的に固定することができる留め具も所定の位置に設ければよい。
【００２９】
次に、組立て用シート基材３について説明する。
図５に組立て用シート基材３の展開平面図が示されているが、組立て用シート基材３は、図５に示すように、下側から上側方向に対して順番に、第１のパネル接着用部８と、底板用部９と、支持用部１０と、第２のパネル接着用部１１と、が折り曲げ可能に形成された複数の切込み線１２，１３，１４を境にして連接されているシート状の基材を有している。
そして、図２又は図６に示すように、組立て用シート基材３を複数の切込み線１２，１３，１４から折り曲げて組み立てた際に、第１のパネル接着用部８と第２のパネル接着用部１１の表面でパネルボード基材２の裏面側と接着剤１７で接着されて、組立て用シート基材３とパネルボード基材２が一体化されている。
【００３０】
また、組立て用シート基材３の底板用部９は、展示用パネルボード１を組み立てた状態として立たせた場合に、底側になる位置となり、また、支持用部１０は、底板用部９と第２のパネル接着用部１１とを傾斜状態で支えて倒れることを防止する役目をするものである。
尚、従来から三角状態でパネルなどを支える構成のものは知られているが、折り畳みができない場合が多く、持ち運びの際に不便であるという問題があり、本発明では、特に支持用部１０の部分に特有の構成を用いており、次にこの支持用部１０の構成を中心に説明する。
【００３１】
支持用部１０は、該支持用部１０の上下方向に対して略半分の位置において、該支持用部１０を上下方向に折り曲げ可能に形成された横方向の切込み線１５を有しており、この横方向の切込み線１５から支持用部１０を２つに折り畳めるようになっている。
また、支持用部１０が該切込み線１５から折れ曲がらない状態に保たせるための折れ曲がり防止部も有している。
この折れ曲がり防止部としては、幾つかの構成が考えられ、それらの構成について順次に説明する。
まず、図５及び図６に示す例では、折れ曲がり防止部として、支持用部１０に、第２のパネル接着用部１１の横幅寸法よりも横方向に広く形成されたはみ出し部分１０ａ，１０ｂを設けた場合が示されている。
また、前記支持用部１０において、前記はみ出し部分１０ａ，１０ｂ内、又は前記はみ出し部分１０ａ，１０ｂと該はみ出し部分１０ａ，１０ｂ以外の部分との境に、前記支持用部１０を折り曲げ可能に形成された縦方向の切込み線１６ａ，１６ｂが設けられている。
尚、図５及び図６では、はみ出し部分１０ａ，１０ｂと該はみ出し部分１０ａ，１０ｂ以外の部分との境に、前記支持用部１０を折り曲げ可能に形成された縦方向の切込み線１６ａ，１６ｂが設けられている場合が図示されているが、はみ出し部分１０ａ，１０ｂ内に縦方向の切込み線を形成するようにしてもよく、いずれの場合でも、縦方向の切込み線からはみ出し部分１０ａ，１０ｂ又ははみ出し部分１０ａ，１０ｂの一部分を折り曲げることで、支持用部１０が横方向の切込み線１５から折れ曲がらないようにすることができるように構成されている。
【００３２】
上記の構成により、支持用部１０は、支持用部１０の上下方向に対して略半分の位置から横方向の切込み線１５により折り曲げて畳めるように構成されているが、組立て用シート基材３を組み立てた際には、図６に示すように、支持用部１０の両側に設けられているはみ出し部分１０ａ，１０ｂを、所定の角度で縦方向の切込み線１６ａ，１６ｂから折り込むことで、支持用部１０の全体が横方向の切込み線１５から折り込めない状態として固定させることができるようになっている。
つまり、切込み線１６ａ，１６ｂからはみ出し部分１０ａ，１０ｂを折り込むか否かにより、支持用部１０が横方向の切込み線１５から折り畳める状態になるか、折り畳めない状態になるかが分かれように構成されている。
尚、底板用部９と支持用部１０は、折り曲げ可能に形成された切込み線１３により連接されているが、底板用部９とはみ出し部分１０ａ，１０ｂとの間は、図５に示すように隙間を設けるように形成してもよいし、またスリットにより形成するようにしてもよい。
【００３３】
組立て用シート基材３に形成される横方向の切込み線１２，１３，１４，１５及び縦方向の切込み線１６ａ，１６ｂは、図７及び図８に示すように、組立て用シート基材３を折り曲げることが可能な状態でそれぞれの位置で切り込まれている。
上記のように構成された展示用パネルボード１は、運搬する際に、図９に示すように、パネルボード基材２を広げた状態から横方向の切込み線４からパネルボード基材２を手前側に折り畳むことで、図１０に示すように２つ折りさせてコンパクトなサイズにして搬送させることができるように構成されている。
【００３４】
また、展示用パネルボード１を横方向の切込み線４から２つに折り畳むことで、図１１及び図１２に示すように、組立て用シート基材３も２つの横方向の切込み線１２，１５から折り畳んだ状態とすることができ、展示用パネルボード１の全体のサイズを小さくして搬送や運搬作業ができるように構成されている。
【００３５】
また、組立て用シート基材は、上記構成の他にも次のような構成とすることもできる。
図１６及び図１７には、他の構成とした２種類の組立て用シート基材３０，４０が示されている。
まず、図１６に示した第１変形例の組立て用シート基材３０について説明する。
第１変形例の組立て用シート基材３０は、上記で説明した組立て用シート基材３の構成に比較して、支持用部１０の左右方向の一方側だけにはみ出し部分１０ａを設けたものである。
図１６では、左側だけに、はみ出し部分１０ａを設けた場合が示されている。
支持用部１０の左右の一方側だけにはみ出し部分１０ａを設けた場合でも、はみ出し部分１０ａを縦方向の切込み線１６ａから少しだけ折り曲げることで、横方向の切込み線１５に対して支持用部１０が折り曲がることを防止することができる。
この場合には、その一方のはみ出し部分１０ａに負荷が係るので、支持するパネルボード基材が小さいサイズのものに適する。
また、図１６に示す第１変形例の組立て用シート基材３０では、底板用部９の形状を大きめなサイズにしてあり、安定した状態でパネルボード基材を支持できるように構成されている。
【００３６】
次に、図１７に示した第２変形例の組立て用シート基材４０について説明する。
第２変形例の組立て用シート基材４０は、上記で説明した組立て用シート基材３の構成に比較して、支持用部１０の左右方向にはみ出し部分１０ａ，１０ｂを設けないで、その代わりに、折れ曲がり防止部として、該支持用部１０の上下方向に対して略半分の位置に形成された切込み線１５を跨る部分領域４１について、その部分領域４１の一部の縦方向の端辺を除く外周部分に組立て用シート基材４０を貫通させて形成した貫通切り込み４２が設けられている。
更に前記貫通切り込み４２が形成されていない一部の縦方向の端辺部分４３に、折り曲げ可能に形成された縦方向の切込み線４３が設けられていることで、組立て用シート基材４０を組み立てる際に、その部分領域４１を縦方向の切込み線４３から組立て用シート基材の内側方向に押して折り曲げることで、横方向の切込み線１５に対して支持用部１０が折り曲がることを防止することができるように構成されている。
【００３７】
図１８には、組立て用シート基材に図１７で示した第２変形例を用いた場合において、展示用パネルボードを立たせた状態の斜視図が示されているが、部分領域４１を上下方向の切込み線４３から組立て用シート基材の内側方向に押して折り曲げることで、横方向の切込み線１５に対して支持用部１０が折り曲がることを防止している。
また、支持用部１０を折り畳む場合には、部分領域４１を切込み線４３から折り曲げない状態にもどすことで、横方向の切込み線１５から支持用部１０を半分に折り曲げて畳むことができる。
また、部分領域４１については、図１７に示した形状に限定されることなく、所望の様々な形状の領域を用いることができる。
【００３８】
上記したように、展示用パネルボード１は、搬送や運搬する際には、パネルボード基材を折り畳むと共に、組立て用シート基材も縦方向の切込み線から折り畳んでコンパクトにした状態とすることができ、また展示する際には、パネルボード基材を広げて固定状態にすると共に、組立て用シート基材も組み立てて、支持用部１０に形成された横方向の切込み線１５から折れない状態に固定させて、パネルボード基材を立たせた状態で展示させることができるように構成されている。
【００３９】
また、展示用パネルボード１を構成するパネルボード基材や組立て用シート基材の材質は、持ち運び可能な軽い材質のものを用いることが好ましく、例えば、スチレンボード、発砲スチロール、ダンボール、板紙、など種々の材質を用いることができる。
【符号の説明】
【００４０】
１  展示用パネルボード
２，２０，２１  パネルボード基材
３，３０，４０  組立て用シート基材
４，１２，１３，１４，１５  横方向の切込み線
５ａ，５ｂ，１６ａ，１６ｂ  縦方向の切込み線
６ａ，６ｂ，２３  留め具
７ａ，７ｂ，２５  紐
８  第１のパネル接着用部
９  底板用部
１０  支持用部
１０ａ，１０ｂ  はみ出し部分
１１  第２のパネル接着用部
１７  接着剤
４１  部分領域
４２  貫通切り込み
【図１】
0005493734.tif 000002
【図２】
0005493734.tif 000003
【図３】
0005493734.tif 000004
【図４】
0005493734.tif 000005
【図５】
0005493734.tif 000006
【図６】
0005493734.tif 000007
【図７】
0005493734.tif 000008
【図８】
0005493734.tif 000009
【図９】
0005493734.tif 000010
【図１０】
0005493734.tif 000011
【図１１】
0005493734.tif 000012
【図１２】
0005493734.tif 000013
【図１３】
0005493734.tif 000014
【図１４】
0005493734.tif 000015
【図１５】
0005493734.tif 000016
【図１６】
0005493734.tif 000017
【図１７】
0005493734.tif 000018
【図１８】
0005493734.tif 000019
【図１９】
0005493734.tif 000020